(57)【要約】チャネル・フェード中に送信を継続する方法が説明される。データは、第１の信号に関連する第１のトラフィックチャネル上で送信される。第１の信号の信号強度よりも信号強度が大きい第２の信号が検出される。Ｎ２ｍがトリガーされると、送信機は不能にさせる。Ｎ２ｍのトリガーは、所定の第１の期間、チャネル・フェードが生じていたことを示す。第２の信号が、所定の第２の期間、モニターされる。第２の期間が経過すると、第２の信号に関連する第２のトラフィックチャネル上でデータが送信される。
2010517380.tif 000002
【特許請求の範囲】
【請求項１】
第１の信号に関連する第１のトラフィックチャネル上でデータを送信することと、
前記第１の信号の信号強度よりも大きい信号強度を有する第２の信号を検出することと、
所定の第１の期間にわたって、チャネル・フェードが検出される場合、送信機を不能にすることと、
所定の第２の期間にわたって、前記第２の信号をモニターすることと、
前記第２の期間の終了において、前記第２の信号に関連する第２のトラフィックチャネル上で、データを送信すること、
を含む、チャネル・フェード中に送信を継続する方法。
【請求項２】
前記第２の信号に関連する前記第２のトラフィックチャネルへ高優先順位のアクセス試行を実行すること、
をさらに含む、請求項１の方法。
【請求項３】
前記第２の信号に関連する登録メッセージを基地局に送信すること、
をさらに含む、請求項１の方法。
【請求項４】
前記第１の信号がパイロット信号である、請求項１の方法。
【請求項５】
前記第２の信号がパイロット信号である、請求項１の方法。
【請求項６】
前記所定の第２の期間、信頼性を保証するために、前記第２の信号をモニターすること、をさらに含む、請求項１の方法。
【請求項７】
所定の閾値よりも信号品質が低いデータ・フレームを所定の数だけ連続して受信した場合に前記送信機を不能にすること、
をさらに含む、請求項１の方法。
【請求項８】
前記第１の所定期間が終了する前に、前記第２の信号を検出すること、
をさらに含む、請求項１の方法。
【請求項９】
プロセッサーと、
プロセッサーと電子的に通信するメモリーと、
前記メモリーに記憶されている命令であって、
第１の信号に関連する第１のトラフィックチャネル上でデータを送信することと、
前記第１の信号の信号強度よりも大きな信号強度を有する第２の信号を検出することと、
所定の第１の期間にわたってチャネル・フェードが検出されると送信機を不能にすることと、
所定の第２の期間にわたって前記第２の信号をモニターすることと、
前記第２の期間が終了すると前記第２の信号に関連する第２のトラフィックチャネル上でデータを送信すること、
を実行可能な命令、
とから構成されたチャネル・フェード中に送信を継続する移動装置。
【請求項１０】
前記移動装置がハンドセットである、請求項９の移動装置。
【請求項１１】
前記命令は、前記第２の信号に関連する前記第２のトラフィックチャネルへ高優先順位のアクセス試行を行うことをさらに実行可能である、請求項９の移動装置。
【請求項１２】
前記命令は、前記第２の信号に関連する基地局に登録メッセージを送信することをさらに実行可能である、請求項９の移動装置。
【請求項１３】
前記命令は、信頼性を保証するために、前記所定の第２の期間、前記第２の信号をモニターすることをさらに実行可能である、請求項９の移動装置。
【請求項１４】
前記命令は、所定の閾値よりも信号品質が低いデータ・フレームを所定の数だけ連続して受信した場合に、前記送信機を不能にすることをさらに実行可能である、請求項９の移動装置。
【請求項１５】
前記命令は、前記送信機が不能にされる前に、前記第２の信号を検出することをさらに実行可能である、請求項９の移動装置。
【請求項１６】
前記命令は、前記第１の所定期間が終了する前に、前記第２の信号を検出することをさらに実行可能である、請求項９の移動装置。
【請求項１７】
第１の信号に関連する第１のトラフィックチャネル上でデータを送信するための手段と、
前記第１の信号の信号強度よりも大きな信号強度を有する第２の信号を検出するための手段と、
所定の第１の期間にわたってチャネル・フェードが検出されると送信機を不能にするための手段と、
所定の第２の期間にわたって前記第２の信号をモニターするための手段と、
前記第２の期間が終了すると前記第２の信号に関連する第２のトラフィックチャネル上でデータを送信するための手段、
を備えるチャネル・フェード中に送信を継続する装置。
【請求項１８】
前記第２の信号に関連する前記第２のトラフィックチャネルへ高優先順位のアクセス試行を行うための手段をさらに備える、請求項１７の装置。
【請求項１９】
前記第２の信号に関連する基地局に登録メッセージを送信するための手段をさらに備える、請求項１７の装置。
【請求項２０】
前記所定の第２の期間、信頼性を保証するために、前記第２の信号をモニターするための手段をさらに備える、請求項１７の装置。
【請求項２１】
所定の閾値よりも信号品質が低いデータ・フレームを所定の数だけ連続して受信した場合に送信機を不能にする手段をさらに備える、請求項１７の装置。
【請求項２２】
前記第１の所定期間が終了する前に、前記第２の信号を検出するための手段をさらに備える、請求項１７の装置。
【請求項２３】
第１の信号に関連する第１のトラフィックチャネル上にデータを送信するためのコードと、
前記第１の信号の前記信号強度よりも大きな信号強度を有する第２の信号を検出するためのコードと、
所定の第１の期間にわたって、チャネルのフェードが検出されると、送信機を不能にするためのコードと、
所定の第２の期間にわたって、前記第２の信号をモニターするためのコードと、
前記第２の期間が終了すると、前記第２の信号に関連する前記第２のトラフィックチャネル上でデータを送信するためのコード、
を含む命令を、コンピューター可読媒体に記憶させたコンピューター・プログラム製品であって、チャネル・フェード中に送信を継続するためのコンピューター・プログラム製品。
【請求項２４】
前記命令は、前記第２の信号に関連する前記第２のトラフィックチャネル上で、高優先順位のアクセス試行を行うためのコードをさらに含む、請求項２３のコンピューター・プログラム製品。
【請求項２５】
前記命令は、前記第２の信号に関連する基地局に登録メッセージを送信するためのコードをさらに含む、請求項２３のコンピューター・プログラム製品。
【請求項２６】
前記命令は、前記所定の第２の期間、信頼性を保証するために、前記第２の信号をモニターするためのコードをさらに含む、請求項２３のコンピューター・プログラム製品。
【請求項２７】
前記命令は、所定の閾値よりも信号品質が低いデータ・フレームを所定の数だけ連続して受信した場合に前記送信機を不能にするためのコードをさらに含む、請求項２３のコンピューター・プログラム製品。
【請求項２８】
前記命令は、前記送信機を不能にする前に、前記第２の信号を検出するためのコードをさらに含む、請求項２３のコンピューター・プログラム製品。
【請求項２９】
前記命令は、前記第１の所定期間が終了する前に、前記第２の信号を検出するためのコードをさらに含む、請求項２３のコンピューター・プログラム製品。
【請求項３０】
プロセッサーと、
前記プロセッサーと電子的に通信するメモリーと、
前記メモリーに記憶されている命令であって、
第１のパイロット信号を使用して第１の順方向チャネル上でデータを送信することと、
登録メッセージを受信することと、
第２の順方向チャネルに対する高優先順位のアクセス試行を受信すること、そこにおいて、前記高優先順位のアクセス試行に関連するシグナリング・メッセージが、前記高優先順位のアクセス試行に関連しないシグナリング・メッセージよりも、高優先順位で処理される、
リソースが利用できるときには前記高優先順位のアクセス試行に関わる前記リソースを割り当てることと、
第２のパイロット信号を使用して、前記第２の順方向チャネル上でデータを送信することと、
前記第１の順方向チャネルに関連するリソースを除去すること、
を実行可能な前記命令、
を備える順方向チャネル上でデータの経路を変更するための基地局。
【発明の詳細な説明】
【関連出願】
【０００１】
本発明出願は、発明者、ウダイ・シャンブハグ（Ｕｄａｙ  Ｓｈａｎｂｈａｇ）およびナイル・ビベック・ビジャヤン（Ｎａｉｒ  Ｖｉｖｅｋ  Ｖｉｊａｙａｎ）が、２００７年１月１７日に出願の出願番号６０／８８５，３５３の米国特許仮出願、“無線電話の通話救助の方法および装置（ＭＥＴＨＯＤ  ＡＮＤ  ＡＰＰＡＲＡＴＵＳ  ＦＯＲ  ＷＩＲＥＬＥＳＳ  ＴＥＬＥＰＨＯＮＥ  ＣＡＬＬ  ＲＥＳＣＵＥ）”に関連し、優先権を主張する。
【技術分野】
【０００２】
本発明は、一般に、通信および無線通信関連の技術に関わる。より具体的には、本発明は、チャネル・フェード（ｃｈａｎｎｅｌ  ｆａｄｅ）中に、移動局と基地局との間の通信を継続できるようにするシステムと方法に関わる。
【背景技術】
【０００３】
無線通信ネットワークは音声、パケット・データ、放送などの種々のサービスを提供するのに広く使われている。たとえば、このような無線ネットワークには、符号分割多元接続方式２０００（ＣＤＭＡ２０００）ネットワーク、グローバル移動体通信システム（Ｇｌｏｂａｌ  Ｓｙｓｔｅｍ  ｆｏｒ  Ｍｏｂｉｌｅ  Ｃｏｍｍｕｎｉｃａｔｉｏｎ：ＧＳＭ）ネットワーク、広帯域符号分割多元接続方式（Ｗｉｄｅｂａｎｄ  Ｃｏｄｅ  Ｄｉｖｉｓｉｏｎ  Ｍｕｌｔｉｐｌｅ  Ａｃｃｅｓｓ：Ｗ−ＣＤＭＡ）ネットワークおよびワールドワイド・インターオペラビリィティ・フォー・マイクロウエーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）ネットワークが含まれている。
【０００４】
それぞれの無線通信ネットワークでは、それぞれの無線通信をサポートする特有のエアインターフェイスを利用し、一般に、ローミングや先進的なサービスをサポートする特定のモバイルネットワークプロトコルをさらに実装する。たとえば、Ｗ−ＣＤＭＡネットワークでは、符号分割多元接続方式（ＣＤＭＡ）無線インターフェイスと、ＧＳＭ端無線アクセスネットワーク（ＧＳＭ  ＥＤＧＥ  Ｒａｄｉｏ  Ａｃｃｅｓｓ  Ｎｅｔｗｏｒｋ：ＧＥＲＡＮ）ネットワーク・プロトコルを利用している。
【０００５】
上で引用された無線通信の規格は、音声および／またはデータを伝送するために実装され得る種々の通信システムのいくつかの実例である。これらのシステムの中では、複数種類の送信により利用できるように、複数のチャネルが使用可能であり得る。チャネルがフェード（ｆａｄｅ）（品質の低下）を体験する場合、送信は失われたり妨害されたりするかもしれない。そのため、チャネル・フェード中でも送信を継続ための改善されたシステムと方法により利点が実現され得る。
【図面の簡単な説明】
【０００６】
【図１】符号分割多元接続方式（ＣＤＭＡ）無線電話システムの例を示す。
【図２】移動局のさらに詳細な構成を示すブロック・ダイアグラムである。
【図３】チャネル・フェード中に送信を継続する方法の１つの例を示すフロー・ダイアグラムである。
【図４】図３に示した方法に対応する手段と機能のブロックを示す。
【図５】新たに検出したパイロット信号を使って、通話を継続する方法の一つの設定を示すフロー・ダイアグラムである。
【図６】新たなパイロット信号を使って、順方向チャネル（ｆｏｒｗａｒｄ  ｃｈａｎｎｅｌ）におけるデータの経路を変更する（ｒｅ−ｒｏｕｔｉｎｇ）方法の一例を示すフロー・ダイアグラムである。
【図７】無線通信装置で使われる、種々の構成要素を示す。
【図８】本発明で開示したシステムと方法の１つの実施例に従う、基地局のブロック・ダイアグラムである。
【詳細な説明】
【０００７】
チャネル・フェード中にも、送信を継続する方法を説明する。第１の信号に関連する第１のトラフィックチャネル上でデータが送信される。第１の信号の信号強度よりも信号強度が大きい第２の信号が検出される。チャネル・フェードが所定の第１の期間（ｔｉｍｅ  ｐｅｒｉｏｄ）、検出されると、送信機は不能（ｄｉｓａｂｌｅ）にされる。第２の信号が所定の第２の期間、モニターされる。第２の期間が経過すると、第２の信号と関連する第２のトラフィックチャネル上で、データが送信される。
【０００８】
チャネル・フェード中に、送信を継続するための移動装置（ｍｏｂｉｌｅ  ｄｅｖｉｃｅ）についてさらに説明する。移動装置には、プロセッサーと、プロセッサーと電子的通信を行うメモリーを含んでいる。命令はメモリーに記憶されている。その命令は、第１の信号と関連する第１のトラフィックチャネル上でデータを送信し、第１の信号の信号強度よりも第２の信号の信号強度が大きいことを検出するために実行可能である。その命令は、さらに、所定の第１の期間にわたって、チャネル・フェードが検出される場合、送信機を不能にさせるために実行することができる。その命令は、所定の第２の期間、第２の信号をモニターし、第２の期間が経過すると、第２の信号に関連する第２のトラフィックチャネル上で、データの送信を行うために実行することができる。
【０００９】
チャネル・フェード中に、送信を継続する装置についてさらに説明する。この装置は、第１の信号に関連する第１のトラフィックチャネル上でデータを送信する手段と、第１の信号の信号強度よりも大きな信号強度を持つ第２の信号を検出する手段とを含んでいる。この装置は，さらに，チャネルのフェードが所定の第１の期間だけ継続していることが検出されると，送信機の動作を不能にする手段を有している。この装置は、さらに、所定の第２の期間にわたって，第２の信号をモニターする手段と，第２の期間が経過すると，第２の信号に関連する第２のトラフィックチャネル上でデータを送信する手段とを含んでいる。
【００１０】
チャネル・フェード中に送信を継続するコンピューター・プログラム製品についてさらに説明する。このコンピューター・プログラム製品には、命令が記憶されたコンピューター可読媒体が含まれている。この命令には、第１の信号に関連する第１のトラフィックチャネル上でデータを送信するコードと、第１の信号の信号強度よりも大きな信号強度を持つ第２の信号を検出するコードとが含まれる。この命令には、さらに、所定の第１の期間にわたってチャネルのフェードが検出されると、送信機を不能にするコードが含まれている。この命令には、さらに、所定の第２の期間にわたって，第２の信号をモニターするコードと，第２の期間が経過すると，第２の信号に関連する第２のトラフィックチャネル上でデータを送信するコードを含んでいる。
【００１１】
順方向チャネル上のデータの経路を変更する（ｒｅ−ｒｏｕｔｉｎｇ）基地局について、さらに説明する。基地局には、１つのプロセッサーと、このプロセッサーと電子的に通信を行うメモリーとが含まれる。命令はメモリーに記憶される。その命令は、第１のパイロット信号を使用して、第１の順方向チャネル上でデータを送信し、登録メッセージを受信するために実行可能である。その命令は、さらに、第２の順方向チャネルに対して高優先順位のアクセス試行（ｈｉｇｈ  ｐｒｉｏｒｉｔｙ  ａｃｃｅｓｓ  ａｔｔｅｍｐｔ）を受信するために実行可能である。高優先順位のアクセス試行に関連するシグナリング・メッセージは、高優先順位のアクセス試行に関連しないメッセージより、高優先順位で実行される。その命令は、さらに、リソースが利用可能なとき、高優先順位のアクセス試行に関連するリソースを割り当て、そして、第２のパイロット信号を使って第２の順方向チャネル上でデータを送信するために、実行可能である。その命令は、さらに、第１の順方向チャネルに関連するリソースを除去するために実行可能である。
【００１２】
通信サービスは、基地局と移動局との間で実行することができる。基地局は、順方向リンクを通して、データパケットおよび制御メッセージを、移動局に送信することができる。基地局は、さらに、逆方向リンクを通して、データパケットおよび制御メッセージを、移動局から受信する。基地局から移動局への、または、移動局から基地局へのデータの送信は、符号分割多元接続方式（ＣＤＭＡ）等のプロトコルに従って実行され得る。
【００１３】
移動局は、通信中には、順方向トラフィックチャネルの性能をモニターすることができる。移動局が１２個の連続する不良（ｂａｄ）データ・フレーム（Ｎ２ｍ）を受信するとき、その移動局は、送信機を不能にし、逆方向リンクにおける、他の通信を妨害しないようにする。その後に、移動局が２個の連続した良好な（ｇｏｏｄ）フレーム（Ｎ３ｍ）を受信するとき、送信機を再起動する。ここに使用されるように、“Ｎ２ｍ”は、移動局がその送信機を不能にする前に、順方向トラフィックチャネル上で受信した不十分な信号品質（たとえば、不良データ・フレーム）の継続時間（２０ｍｓの単位において）を表すことができる。ある設定では、Ｎ２ｍは１２である。さらに、“Ｎ３ｍ”は、移動局がその送信機を再起動する前に、順方向トラフィックチャネルで受信した、十分に良好な信号品質（たとえば、良好なデータフレーム）の持続時間（２０ｍｓの単位において）を表すことができる。ある設定では、Ｎ３ｍは２である。
【００１４】
ある設定では、移動局は、カウンター（Ｎ２ｍ）を１２個の連続する不良フレームを受信するように維持している。順方向トラフィックチャネル上で、ある数の良好なデータ・フレームが受信されるとき、タイマーはリセットされ得る。ある設定では、２個の連続する良好なデータ・フレーム（Ｎ３ｍ）が受信されると、タイマーがリセットされる。フェード・タイマー（Ｔ５ｍ）が終了すると、移動局は通話を停止することになる。ここで用いたように、“Ｔ５ｍ”は順方向トラフィックチャネルのフェード・タイマーの限界値を表すことができる。ある設定では、Ｔ５ｍは５秒である。
【００１５】
ＣＤＭＡ通信装置（例えば移動局）は、順方向リンク（ｆｏｒｗａｒｄ  ｌｉｎｋ）上で、パイロット信号を受信することができる。このパイロット信号は、順方向リンク上で、信号の同期、コヒーレント検出、ソフトハンドオフ、基地局間の直交性の維持などに使うことができる。移動局は、改善された信号強度の新しいパイロット信号が利用可能かどうかを判定するために、基地局から受信される信号を連続的にモニターする。
【００１６】
いくつかの設定において、移動局は、無線周波数（ｒａｄｉｏ  ｆｒｅｑｕｅｎｃｙ：ＲＦ）を使って、逆方向チャネル（ｒｅｖｅｒｓｅ  ｃｈａｎｎｅｌ）上でデータを送信する。ある例では、ＲＦチャネル・フェードがフェード・タイマーを起動する。この結果、移動局は逆方向リンクに混信が生じないように、その送信機を不能にすることができる。場合によっては、移動局は、オリジナルのパイロット信号と同じ（または似た）設定で、改善された信号レベルの、新しいパイロット信号を検出する。しかしながら、移動局の送信機が不能になっているために、移動局は、新しいパイロット信号を送信している基地局に、その新しいパイロット信号の状況について報告することができない。ある設定では、Ｎ２ｍにより送信機が不能になっていて、パイロット信号強度の測定メッセージを基地局に送ることができないので新しいパイロット信号を使用して通話を継続することができない。
【００１７】
通話を再確立するための現在のシステムおよび方法は、フェード・インターバル・タイマー内に移動局がＲＦチャネル・フェードから抜け出すであろうことを仮定している。さらに、現在のＣＤＭＡ規格では、移動局はチャネル・フェードが生じると（すなわち、移動局が連続したＮ２ｍ（１２）個の不良フレームを受信すると）送信機を不能（ｄｉｓａｂｌｅ）にする。送信機が不能になっているので、Ｎ２ｍ個の誤りフレームを移動局が受信した後、または、フェード・インターバル・タイマー（Ｔ５ｍ）内では、移動局は、検出した新しいパイロット信号を使うことをネットワークと交渉する立場になり得ない。そのため、現在のＣＤＭＡ規格では、フェード・インターバル・タイマー内（たとえば５秒間）にチャネル・フェード状態が改善する場合、通話が回復され得る。
【００１８】
ここに説明されている本システムおよび本方法は、ＲＦチャネルがフェードの状態にあり、送信機を不能となっている場合でも、通話（ｃａｌｌ）を維持する、新しい機会を移動局に提供するものである。通話を継続することは、通話救助（ｃａｌｌ  ｒｅｓｃｕｅ）と呼ばれ得る。一旦、移動局が新しいパイロット信号におけるトラフィックチャネルの状態を確立すると、ネットワークは、古いパイロット信号上で移動局に割り当てていた既存のトラフィックチャネルリソースを除去することができる。古いパイロット信号では、移動局はＲＦチャネル・フェードの状態にあるので、これら以前に割り当てられた通信リソースは移動局によって利用されないので、順方向リンクの通信容量は改善され得る。
【００１９】
図１は、複数の移動局１０８と、複数の基地局１１０と、基地局コントローラー（ｂａｓｅ  ｓｔａｔｉｏｎ  ｃｏｎｔｒｏｌｌｅｒ：ＢＳＣ）１０６と、移動通信交換局（ｍｏｂｉｌｅ  ｓｗｉｔｃｈｉｎｇ  ｃｅｎｔｅｒ：ＭＳＣ）１０２とを備え得るＣＤＭＡ無線電話システム１００を示す。ＭＳＣ１０２は、さらに、公衆電話交換網（ｐｕｂｌｉｃ  ｓｗｉｔｃｈ  ｔｅｌｅｐｈｏｎｅ  ｎｅｔｗｏｒｋ：ＰＳＴＮ）１０４に接続されるように構成され得る。ＭＳＣ１０２は、さらにＢＳＣ１０６と接続されるように構成され得る。このシステムでは、１個以上のＢＳＣ１０６があってもかまわない。それぞれの基地局１１０は、少なくとも１つの（図には示されていない）セクターを含む。ここでそれぞれのセクターは、全方向性（ｏｍｎｉｄｉｒｅｃｔｉｏｎａｌ）アンテナ、または、基地局１１０から特定の方向を向き、放射状に広がる指向性を有するアンテナを備え得る。あるいは、それぞれのセクターは、ダイバーシティ受信用の２つのアンテナを備えていてもよい。それぞれの基地局１１０は、複数の周波数割当てに対応するように設計されている。セクターと周波数割当ての交差（ｉｎｔｅｒｓｅｃｔｉｏｎ）は、ＣＤＭＡチャネルと呼ばれ得る。移動局１０８は、セルラーまたは携帯通信システム（ｐｏｒｔａｂｌｅ  ｃｏｍｍｕｎｉｃａｔｉｏｎ  ｓｙｓｔｅｍ：ＰＣＳ）電話を含み得る。
【００２０】
携帯電話システム１００の動作中に、基地局１１０は、移動局１０８のセットから逆方向リンク（ｒｅｖｅｒｓｅ  ｌｉｎｋ）信号のセットを受信することができる。移動局１０８は通話または、その他の通信を伝えているかもしれない。与えられた基地局１１０が受信した、それぞれの逆方向リンク信号は、その基地局１１０の内で処理され得る。処理結果のデータは、ＢＳＣ１０６に転送され得る。ＢＳＣ１０６は、基地局１１０間のソフトハンドオフの調整を含む、通話リソースの割当てと、移動の管理機能を提供する。ＢＳＣ１０６は、さらに、受け取ったデータをＭＳＣ１０２に送付する。それは、ＰＳＴＮ１０４とのインターフェイスに対して、追加の転送サービスを提供することになる。同様に、ＰＳＴＮ１０４は、ＭＳＣ１０２と接続することができ、ＭＳＣ１０２は、ＢＳＣ１０６と接続することができ、それは基地局１１０を制御し、移動局１０８のセットに対して、複数の順方向リンク信号を送信することができる。
【００２１】
図２は、移動局２０８の更に詳しい構成を示すブロック・ダイアグラムである。移動局２０８は、フレーム・モニター２０２を含んでいる。フレーム・モニター２０２は、基地局から受信した、連続したデータ・フレームの数を判定することができる。モニター２０２はコントローラー２０４と通信することができる。コントローラー２０４は、第１のタイマー２１０、送信機２０６、および第２のタイマー２１４と、通信することができる。フレーム・モニター２０２が、良好なデータ・フレームを所定の数だけ連続して受信すると、コントローラー２０４は、第１のタイマー２１０をリセットする。たとえば、フレーム・モニター２０２が、良好なデータ・フレームを２回、連続して受信すると、コントローラー２０４は、第１のタイマー２１０をリセットすることができる。第１のタイマーは、既に説明したフェード・インターバル・タイマーであり得る。
【００２２】
他の構成では、コントローラー２０４は送信機２０６を起動（ｅｎａｂｌｅ）したり不能（ｄｉｓａｂｌｅ）にしたりすることができる。例えば、フレーム・モニター２０２が不良データ・フレームを、所定の回数、連続して受信すると、コントローラー２０４は、逆方向リンクが混信しないように、また、過大負荷とならないように、送信機２０６を不能にすることができる。さらに、フレーム・モニター２０２が良好なデータ・フレームを、所定の回数、連続して受信すると、送信機２０６がそれ以前に不能になっている場合には、コントローラー２０４は送信機２０６を再起動する。
【００２３】
移動局２０８は、さらに、信号検出器２１２を含むことができる。検出器２１２は、１つまたはそれより多くの数の基地局１１０から送信される信号を検出することができる。ある構成では、信号検出器２１２は、新しいパイロット信号を検出する。この新しいパイロット信号は、移動局２０８がその時点で使っているパイロット信号よりも、大きな信号強度を持っているかもしれない。この新しいパイロット信号に信頼性があるかどうかを判定するために、この新しいパイロット信号は、移動局２０８により所定の期間モニターされ得る。第２のタイマー２１４が終了すると、送信機２０６がそれ以前に不能されている場合には、コントローラー２０４は、送信機２０６を再起動することができる。
【００２４】
図３は、チャネル・フェードが生じている間に、送信を継続するための方法３００の一例を示すフロー図である。この方法３００は、移動局１０８により実施され得る。一つの構成では、３０２に示すように、第１の信号を使用してトラフィックチャネルの状態を提供する。第１の信号とは、第一のパイロット信号であり得る。このトラフィックチャネルの状態において、移動局１０８は、順方向トラフィックチャネルと逆方向トラフィックチャネルとを使って、基地局１１０とユーザー情報を交換する。チャネルの状態を確立するために、移動局１０８は、順方向トラフィックチャネル上で正しく受信できることを調べ、逆方向トラフィックチャネル上で送信を開始する。
【００２５】
順方向トラフィックチャネルで受信された不十分な信号品質（例えば不良データ・フレーム）の継続時間（２０ｍｓを単位において）を表すＮ２ｍの値に基づいて、判定３０４がなされ得る。３０４が真（ｔｒｕｅ）であると判定された場合には、第１の信号にはフェードがあり、順方向トラフィックチャネルは受信のために利用できないことを示し得る。一例において、フェード・タイマーが５秒（Ｔ５ｍ）に設定される。３０４で偽（ｆａｌｓｅ）と判定された場合には、３０２で、チャネルの状態が継続して提供される。しかしながら、３０４の判定が真であった場合には、３０８で、第２の信号が検出され得る。ある設定では、フェード・インターバル・タイマー（Ｔ５ｍ）が終了する前に、３０８で、第２の信号が検出される。第２の信号は、第１の信号よりも改善された信号強度を有するかもしれない。
【００２６】
３０６で、送信機は不能にされ得る。Ｎ２ｍがトリガーされるので、３０６で送信機は不能にされ得る。既に説明しているように、Ｎ２ｍは、順方向トラフィックチャネルで受信された不十分な信号品質（例えば不良データ・フレーム）の継続時間を、２０ｍｓを単位として表現するものである。１つの例では、３０６において送信機を不能にされた後に、３０８で第２の信号が検出される。３１０で、第２の信号がモニターされ得る。３１２において、信頼性タイマーが終了したかどうかの判定が行われ得る。信頼性タイマーは、検出された第２の信号が改善された信号強度を維持しているかどうかを判断するために、移動局１０８が第２の信号をモニターする所定の時間であり得る。信頼性タイマーが終了するまでは、３１０で、第２の信号がモニターされ続ける。信頼性タイマーが終了すると、３１４で第２の信号を使用してチャネルの状態が確立される。
【００２７】
上で説明した図３の方法３００は、図４に示した、手段＋機能（ｍｅａｎｓ−ｐｌｕｓ−ｆｕｎｃｔｉｏｎ）ブロックに対応する種々のハードウエアおよび／またはソフトウエア要素および／またはソフトウエア・モジュールにより実行することができる。言い換えれば、図３に示されたブロック３０２から３１２は、図４に示した、手段＋機能ブロック４０２から４１２に対応する。
【００２８】
図５は、新たに検出されたパイロット信号を使って、通話を継続するための方法５００の１つの構成を示すフロー・ダイアグラムである。方法５００は、移動局１０８において実施され得る。一例において、５０２において新しいパイロット信号が検出され得る。５０４において、この新しい信号は、信頼性があるかどうかを判定するためにモニターされ得る。信頼性タイマーが終了したかどうかにより、判定５０６が実行され得る。信頼性タイマーが終了していなければ、５０４において新しいパイロット信号のモニターが継続される。信頼性タイマーが終了すると、５０８で、高優先順位のアクセス試行が実行され得る。ある構成では、５０８において、移動局と基地局１１０との間で、高優先順位のシグナリング・メッセージの交換が実行され得る。ある例では、高優先順位のアクセス試行とは、高優先順位のシグナリング・メッセージが、基地局１１０およびネットワークインフラにより、高優先順位で処理され、リソースができるだけ早く割り当てられ得ることを意味している。
【００２９】
さらに、５１０において、登録（ｒｅｇｉｓｔｒａｔｉｏｎ）メッセージが送信され得る。登録メッセージは、新たな登録のタイプを含み得る。登録メッセージがアクセスプローブ（ａｃｃｅｓｓ  ｐｒｏｂｅ）の場合もあり得る。ある設定においては、５１０において、登録メッセージ（すなわち、アクセスプローブ）を送信するパワー・レベルは、基地局でメッセージを認識できる確率が高いパワー・レベルになっている。登録メッセージは、ネットワークまたはそのネットワーク内の基地局１１０に対して、移動局１０８を認識させることができる。５１２で、新しいパイロット信号を使用して、チャネルの状態が確立される。ある例では、移動局１０８は新しいパイロット信号を使用して、通話処理を継続することができる。移動局１０８は、前のパイロット信号でソフトハンドオフ状態を確立することができる。
【００３０】
図６は、新しいパイロット信号を使用して順方向チャネル上で、データの経路を変更するための方法６００の一例を示すフロー・ダイアグラムである。方法６００は基地局１１０において実施され得る。６０２で、データは、第１のパイロット信号を使用して、順方向チャネル上で送信され得る。６０４で、移動局１０８から、登録メッセージが受信され得る。６０６で、データは、第２のパイロット信号を使用して、順方向チャネル上で送信され得る。さらに、６０８で、その時点まで、第１のパイロット信号を使っていた順方向チャネルのリソースは除去され得る。言い換えれば、その時点までのパイロット信号上の移動局１０８に対する既存のトラフィックチャネルリソースを除去することができる。ある構成では、以前に割り当てられていたトラフィックチャネルリソースが移動局１０８により利用されないので、順方向チャネルの容量が改善される。移動局１０８は、既に説明したように、ＲＦチャネル・フェード下にあるので、移動局１０８は、以前に割り当てられていたリソースを利用することができない。
【００３１】
上に説明した方法６００は、単一の基地局１１０により、または複数の基地局により実施することができる。たとえば、単一の基地局は、複数個のパイロット信号および／または複数個のセクターを使うことができる。単一基地局１１０は、１つのパイロット信号を複数セクターのそれぞれに対して送信することができる。あるいは、方法６００は少なくとも２個の基地局１１０によって実施できる。例えば、６０２で、第１の基地局１１０は、第１のパイロット信号を使って、順方向チャネル上でデータを送信することができる。第２の基地局は、第１のパイロット信号よりも改善された信号強度の第２のパイロット信号を送信することができる。この結果、第２の基地局１１０は、６０４で、新しい登録のための登録メッセージを受信することができる。６０６で、第２の基地局１１０は、第２のパイロット信号を使用して、順方向チャネルでデータを送信することができる。第１または第２の基地局のいずれかは、以前、移動局１０８に割り当てていた第１のパイロット信号を使う順方向チャネルのリソースを６０８で開放する。
【００３２】
図７には、無線通信装置７０２に使われている種々の構成要素を示す。無線通信装置７０２は、本明細書に記載されている種々の方法を実施できるように構成され得る装置の一例である。無線通信装置７０２は、移動局１０８、移動電話機、セルラー電話、ハンドセット、個人用携帯情報端末（ＰＤＡ）などである。
【００３３】
通信装置７０２の動作を制御するプロセッサー７０４が、通信装置７０２に含まれている。プロセッサー７０４は、中央処理ユニット（ＣＰＵ）とも呼ばれるものである。メモリー７０６には、リード・オンリー・メモリー（ＲＯＭ）とランダム・アクセス・メモリー（ＲＡＭ）の両方が含まれ、命令とデータをプロセッサー７０４に供給する。メモリー７０６の一部には、さらに、不揮発性ランダム・アクセス・メモリー（ＮＶＲＡＭ）が含まれる。プロセッサー７０４は、通常の場合には、メモリー７０６に記憶されたプログラム命令に従って、論理および数値演算処理を実行する。メモリー７０６に記憶されたプログラム命令は、本明細書に説明されている方法を実施するために実行することができる。
【００３４】
通信装置７０２は、さらに、筐体７０８を含み得る。筐体７０８は、送信機７１０と受信機７１２とを含んでいて、通信装置７０２と遠隔地点との間のデータの送信と受信とができるようになっている。送信機７１０と受信機７１２とを組み合わせて、トランシーバーとすることもできる。アンテナ７１６は、筐体７０８に取り付けられ、電気的にトランシーバー７１４と結合され得る。図７には示されていないが、通信装置７０２は、さらに、複数個の送信機、複数個の受信機、複数個のトランシーバー、および／または複数個のアンテナを含むことができる。
【００３５】
通信装置７０２には、トランシーバー７１４により受信した信号レベルを検出し、定量するのに使用される信号検出器７１８を含み得る。信号検出器７１８は、このような信号を、その総エネルギー、擬似雑音（ＰＮ）チップ当たりのパイロットのエネルギー、電力スペクトル密度、および、他の信号として検出することができる。通信装置７０２は、さらに、ディジタル信号処理プロセッサー（ＤＳＰ）７２０を、信号処理に使用するために含み得る。
【００３６】
通信装置７０２の種々の構成要素は、データ・バスに加えて、パワー・バスと、制御信号バスと、状態信号バスとを含む、バス・システム７２２により共に接続され得る。しかしながら明瞭にするために、図７では種々のバスをバス・システム７２２として示している。
【００３７】
図８は、開示されたシステムおよび方法の一実施例に従う、基地局８０８のブロック・ダイアグラムである。基地局８０８の種々の実施例は、限定されるものではないが、発展型のＮｏｄｅＢ（ｅｖｏｌｖｅｄ  ＮｏｄｅＢ：ｅＮＢ）、基地局コントローラー、基地局トランシーバー、アクセス・ルーターなどを含んでいる。基地局８０８は、送信機８１０と受信機８１２を含んでいる、トランシーバー８２０を備えている。トランシーバー８２０は、アンテナ８１８に結合されている。基地局８０８は、さらに、ディジタル信号処理プロセッサー（ＤＳＰ）８１４と、汎用プロセッサー８０２と、メモリー８０４と、通信インターフェイス８０６とを含んでいる。基地局８０８の、種々の構成要素は、筐体８２２内に含まれている。
【００３８】
プロセッサー８０２は基地局８０８の動作を制御することができる。プロセッサー８０２は、以下、ＣＰＵと呼ばれ得る。メモリー８０４には、リード・オンリー・メモリー（ＲＯＭ）とランダム・アクセス・メモリー（ＲＡＭ）とが含まれ、命令とデータをプロセッサー８０２に供給する。メモリー８０４の一部には、さらに、不揮発性ランダム・アクセス・メモリー（ＮＶＲＡＭ）が含まれる。メモリー８０４は、電子的な情報を記憶することができる電子部品を含むことができ、そして、ＲＯＭ、ＲＡＭ、磁気ディスク記憶メディア、光ディスク・メディア、フラッシュメモリー、プロセッサー８０２に含まれるオンボード・メモリー、ＥＥＰＲＯＭメモリー、レジスター、ハードディスク、取り外し可能なディスク、ＣＤ−ＲＯＭなどにより具現化され得る。メモリー８０４は、プログラム命令と他の型式のデータを記憶することができる。プログラム命令は、ここに開示された方法のいくつかまたは全てを実施するためには、プロセッサー８０２により、を実行され得る。
【００３９】
開示されたシステムと方法により、アンテナ８１８は、近くにある通信装置７０２から送信された、逆方向リンクの信号を受信することができる。アンテナ８１８はこれらの受信信号を、信号をフィルターし、増幅するトランシーバー８２０に供給する。信号はトランシーバー８２０からＤＳＰ８１４に供給され、さらに、復調と、デコードと、更なるフィルター処理等のために汎用プロセッサー８０２に供給される。
【００４０】
基地局８０８の種々の構成要素は、データ・バスに、パワー・バスと、制御信号バスと、状態信号バスとを付け加えたバス・システム８２６により相互接続される。しかしながら明瞭にするために、図７では、種々のバスはバス・システム８２６として示されている。
【００４１】
ここで使われているように、“判定（ｄｅｔｅｒｍｉｎｉｎｇ）”（およびその文法的変形）は非常に広い意味で使われている。“判定”は広い範囲のアクションを包含している。従って、“判定”は、計算、演算、処理、導出、調査、ルックアップ（例えば、表、データベース、または他のデータ構造におけるルックアップ）、確認などを含むことができる。さらに“判定”には、受け取り（例えば、情報の受け取り）、アクセス（例えば、メモリーのデータにアクセス）などを含むことができる。さらに“判定”には、解決、選択、選抜、確立なども含むことができる。
【００４２】
情報と信号とは、種々の異なる技術や技法を使って表すことができる。例えば、これまでの説明全体に参照することができるデータ、命令、コマンド、情報、信号などは、電圧、電流、電磁波、磁界と磁性粒子、光学界と光学粒子、および、これらの組み合わせとして表すことができる。
【００４３】
本開示に関連して示されている、種々の、例示された、論理ブロック、モジュール、および回路は、汎用プロセッサー、ディジタル信号処理プロセッサー（ＤＳＰ）、特定用途向け集積回路（ＡＳＩＣ）、フィールド・プログラマブル・ゲート・アレー（ＦＰＧＡ）、その他のプログラマブルな論理デバイス、個別のゲート、トランジスター・ロジック、個別のハードウエア部品、または、ここに説明されている機能を実行できるように設計されているそれらの任意の組み合わせ、により、実施し、実行することができる。汎用プロセッサーは、マイクロプロセッサーであってもよい。しかし、他の選択肢として、プロセッサーは、任意の市販のプロセッサー、コントローラー、マイクロコントローラーまたはステート・マシーンであり得る。プロセッサーは、さらに、演算素子、たとえばＤＳＰとマイクロプロセッサーの組み合わせ、複数個のマイクロプロセッサー、ＤＳＰコアとを結合した１個以上のマイクロプロセッサー、または、任意の他の類似の構成として、インプリメントすることができる。
【００４４】
本開示に関連して説明された、方法やアルゴリズムのステップは、ハードウエアにより直接、プロセッサーによって実行されるソフトウエア・モジュールにより、または、この２つの組み合わせにより、実施することができる。ソフトウエア・モジュールは、その技術が公知である任意の形態の記憶媒体に存在することができる。使用可能な記憶媒体のいくつかの例は、ＲＡＭメモリー、フラッシュメモリー、ＲＯＭメモリー、ＥＰＲＯＭメモリー、ＥＥＰＲＯＭメモリー、レジスター、ハードディスク、媒体交換可能なディスク、ＣＤ−ＲＯＭなどを含んでいる。ソフトウエア・モジュールは、単一の命令または多くの命令を含むことができ、いくつかの異なるコードセグメントにより、種々のプログラム中で、複数の記憶媒体を介して配布することができる。記憶媒体は、プロセッサーと結合され、プロセッサーは、記憶媒体から情報を読み出すことができ、記憶媒体に情報を書き込むことができる。あるいは、記憶媒体はプロセッサーと統合することもできる。
【００４５】
ここに開示された方法は、説明された方法を達成するために、１つ以上のステップまたはアクションを含む。方法のステップおよび／またはアクションは、請求項の範囲から離れることなく、交換することができる。言い換えれば、ステップまたはセクションについて、特定の順序が指定されていない限り、特定のステップおよび／またはセクションの順序および／または使用は、請求項の範囲から離れることなく、修正されてもよい。
【００４６】
説明された機能は、ハードウエア、ソフトウエア、ファームウエア、あるいは、それらの組み合わせによって実施され得る。ソフトウエアとして実施される場合、機能は、１つ以上の命令として、コンピューター可読媒体に記憶することができる。コンピューター可読媒体とは、コンピューター、計算装置、または電子装置によりアクセスすることができる任意の利用可能な媒体であり得る。限定ではなく実施例として、コンピューター可読媒体とは、ＲＡＭ、ＲＯＭ、ＥＥＰＲＯＭ、ＣＤ−ＲＯＭ，ネットワーク上でデータを送出するタイプの光ディスク記録装置、または、それ以外の光ディスク記録装置、磁気ディスク記憶装置、その他の磁気記録装置、および、所望のプログラム・コードを、命令およびデータ構造の形式において運搬し、記憶することができ、そして、コンピューター、計算装置あるいは電子装置によりアクセスすることができるその他の任意の記憶媒体を含むことができる。ここで使われている、“Ｄｉｓｋ”および“Ｄｉｓｃ”には、コンパクト・ディスク（Ｃｏｍｐａｃｔ  Ｄｉｓｃ：ＣＤ）、レーザー・ディスク（Ｌａｓｅｒ  Ｄｉｓｃ）、ディジタル・バーサタイル・ディスク（Ｄｉｇｉｔａｌ  Ｖｅｒｓａｔｉｌｅ  Ｄｉｓｃ：ＤＶＤ）、フロッピー（登録商標）・ディスク（Ｆｌｏｐｐｙ（登録商標）  Ｄｉｓｋ）およびブルーレイ・ディスク（Ｂｌｕｅ−ｒａｙ（Ｒ）  Ｄｉｓｃ）（「（Ｒ）」は、○の中にＲが入った文字の代替表示である）が含まれる。ここで、“Ｄｉｓｋ”は、通常の場合に、磁気的にデータを再生するのに対して，“Ｄｉｓｃ”では，レーザーで光学的にデータを再生する。
【００４７】
ソフトウエアや命令は、さらに伝送媒体を通して送信することができる。たとえば、ウエブサイト、サーバー、または、その他の遠隔のソースから、同軸ケーブル、光ファイバー・ケーブル、撚り線対、ディジタル加入者線（ＤＳＬ）、赤外線、ラジオ波、およびマイクロ波などの無線技術のいずれかを使って、ソフトウエアを送信する場合には、同軸ケーブル、光ファイバー・ケーブル、撚り線対、ディジタル加入者線、赤外線、ラジオ波、およびマイクロ波などの無線技術が、伝送媒体の定義に含まれる。
【００４８】
請求項は、上に示された詳細な構成および構成要素に限定されるものではないことは理解されるべきである。上に説明された方法および装置の配置、操作および詳細において、請求項の範囲から逸脱することなく、種々の修正、変更、および変形が、可能である。
【図１】
2010517380.tif 000003
【図２】
2010517380.tif 000004
【図３】
2010517380.tif 000005
【図４】
2010517380.tif 000006
【図５】
2010517380.tif 000007
【図６】
2010517380.tif 000008
【図７】
2010517380.tif 000009
【図８】
2010517380.tif 000010
【国際調査報告】
2010517380.tif 000011
2010517380.tif 000012
2010517380.tif 000013
2010517380.tif 000014